(57)【要約】【課題】本発明は、タッチパネル端面を保護することができる表示装置を提供することを目的とする。【解決手段】本発明の車載用電子機器は、ディスプレイ１と、ディスプレイ１の背面と対向して設けた回路基板７と、中央が開口した横長の枠状でディスプレイ１の周囲を覆う前面パネル２と、前面パネル２の横方向の枠に連なって設けられた複数の横長釦５ａ〜５ｆと、回路基板７上に設けられ、横長釦５ａ〜５ｆにそれぞれ割り当てられた機能を表す文字部分をそれぞれ背面から照明する発光素子９とを備え、横長釦５ａ〜５ｆの背面の横方向の厚みは、発光素子９の照明範囲外よりも照明中心の方が大きく、照明中心から離れるにつれて漸減する。【選択図】図１
2012086603.tif 000002
【特許請求の範囲】
【請求項１】
ディスプレイと、
このディスプレイの背面と対向して設けた回路基板と、
中央が開口した横長の枠状で前記ディスプレイの周囲を覆う前面パネルと、
この前面パネルの横方向の枠に連なって設けられた複数の横長釦と、
前記回路基板上に設けられ、前記横長釦にそれぞれ割り当てられた機能を表す文字部分をそれぞれ背面から照明する照明部とを備え、
前記横長釦の背面の横方向の厚みは、前記照明部の照明範囲外よりも前記照明部の照明中心の方が大きく、前記照明部の照明中心から離れるにつれて漸減することを特徴とする車載用押釦装置。
【請求項２】
前記回路基板上に設けられ、前記横長釦にそれぞれ押圧されるスイッチをさらに備え、前記照明部の少なくとも１つは、照明中心が前記横長釦の横方向の中心から離れて配置されたことを特徴とする請求項１に記載の車載用押釦装置。
【請求項３】
前記照明部は、照明中心が前記横長釦の横方向の中心に配置された第１の照明部と、照明中心が前記横長釦の横方向の中心から離れて配置された第２の照明部とを有し、
前記スイッチは、前記横長釦のうち前記第１の照明部が照明する横長釦によって押圧される第１のスイッチと、前記横長釦のうち前記第２の照明部が照明する横長釦によって押圧される第２のスイッチとを有し、
前記第２のスイッチは、前記第１のスイッチよりも前記横長釦の横方向の中心方向に配置されることを特徴とする請求項２に記載の車載用押釦装置。
【発明の詳細な説明】
【技術分野】
【０００１】
本発明は、前面パネルに設けた押釦に照光する車載用電子機器に関する。
【背景技術】
【０００２】
従来、車両のダッシュボードにはナビゲーション装置等の車載用電子機器が設けられている。（例えば、特許文献１を参照）。
【０００３】
図４は、従来の車載用電子機器を説明する図である。図４に示すように、車載用電子機器は、ディスプレイ１と、中央が開口してこのディスプレイ１の周囲を覆う枠状の前面パネル２と、前面パネル２の上枠に設けられたディスク挿入口３と、このディスク挿入口３に挿入されたディスクを取り出すイジェクト釦４と、前面パネル２の下枠に設けられた横長の釦５とを備える。
【０００４】
釦５は、複数の横長釦５ａ〜５ｆで構成される。横長釦５ａ〜５ｆは、前面パネル２の桟を挟んで隣り合い、前面パネル２の下枠の一端から他端に向かって連なって配置されている。横長釦５ａ〜５ｆは、オーディオやナビゲーションの機能を示す文字や図形が表示されている。横長釦５ａ〜５ｆは、この文字や図形部分では光を透過するが他の部分では光を遮断する。横長釦５ａ、５ｆは、それぞれ早送りや巻戻し、音量の上げ下げといった同種だが互いに逆の機能を行うため、複数のスイッチを有する。一方、横長釦５ｂ〜５ｅは、オーディオ機能や地図表示切替機能など単一の機能を行うため単一のスイッチを有する。
【０００５】
図５は、図４の点線部分ＡについてのＢ−Ｂ断面をＣ方向から見たときの断面図である。図５に示すように、横長釦５ｂは、背面の横方向端部に突起部６を有する。また、車載用電子機器は内部に回路基板７を有する。この回路基板７はディスプレイ１の表示等の処理を行う。回路基板７上には、横長釦５ｂの押圧によって突起部６に押圧されるスイッチ８と、横長釦５ｂを背面から照らす発光素子９とが設けられている。発光素子９は例えばＬＥＤで構成されている。横長釦５ｂの文字は、横長釦５ｂの略中心に位置する。発光素子９は、照明中心が横長釦５ｂの文字位置中心となる位置に配置される。
【先行技術文献】
【特許文献】
【０００６】
【特許文献１】特開２００４−１２７４６６号公報
【発明の概要】
【発明が解決しようとする課題】
【０００７】
しかし、小型化と高機能化の両立を求められる車載用電子機器では、横長釦５ｂで例示されるように横長釦５と回路基板７の間隔を広く取ることができない。このため、釦群５の各横長釦５ａ〜５ｆの文字や図形の幅を発光素子９の照明範囲でカバーすることができない場合が生じた。この結果、発光素子９の照明中心と周辺とで輝度ムラが起こる。そして、各横長釦５ａ〜５ｆの文字や図形に輝度ムラが生じて見えにくくなるという問題があった。この点、従来は、釦５における各横長釦の背面に導光板を設けたり、釦５に拡散剤を混ぜたりすることでこの輝度ムラを解消していたが、部品点数の増大や釦５の製造工程の複雑化という問題があった。
【０００８】
本発明は、従来の問題を解決するためになされたもので、導光板や拡散剤を用いることなく、横長釦に表示される文字列や図形部分における輝度ムラを抑えることができる車載
用電子機器を提供することを目的とする。
【課題を解決するための手段】
【０００９】
上記目的を達成するため、本発明の車載用電子機器は、横長釦の背面の横方向の厚みが、照明部の照明範囲外よりも照明部の照明中心の方が大きく、照明部の照明中心から離れるにつれて漸減することを特徴とした。
【発明の効果】
【００１０】
本発明によれば、導光板や拡散剤を用いることなく、横長釦に表示される文字列や図形部分における輝度ムラを抑えた車載用電子機器を提供することができる。
【図面の簡単な説明】
【００１１】
【図１】本発明の車載用電子機器における横長釦の断面図
【図２】本発明の車載用電子機器における別な横長釦の断面図
【図３】同図１の要部である横長釦の別な構成を説明する断面図
【図４】従来の車載用電子機器を説明する背面図
【図５】同図４の点線部分ＡのＢ−Ｂ断面をＣ方向から見たときの断面図
【発明を実施するための形態】
【００１２】
以下、本発明の実施形態に係る車載用電子機器について図面を用いて説明する。なお、従来と同様の構成については同じ符号を付して詳細な説明を省略する。また、本実施形態では横長釦５ａ、横長釦５ｂについて説明し、それぞれ構造が同様である横長釦５ｆ、横長釦５ｃ〜５ｅについては説明を省略する。
【００１３】
図１は本発明の車載用電子機器における横長釦の断面図である。
【００１４】
図１に示すように、車載用電子機器の横長釦５ｂの背面には、内側に突出した肉厚部１０が設けられている。「内側」は図１の紙面の上方から下方への向きを意味する。この肉厚部１０は、横長釦５ｂの表面に設けられた文字の文字幅の略中央に配置されている。この文字の中心は横長釦５ｂの横方向の中心位置に略一致するため、肉厚部１０は、横長釦５ｂの横方向の略中心に設けられている。
【００１５】
発光素子９は、外側に照明を行う。「外側」は図１の紙面の下方から上方への向きを意味する。この照明光は横長釦５ｂの位置で横長釦５ｂの文字幅に略等しくなる照明範囲を有する。また、発光素子９の照明範囲には、発光素子９から外側に直進する方向に輝度の大きい輝点直下部が設けられている。この輝点直下部は、発光素子９による照明光の照明中心を意味する。
【００１６】
肉厚部１０は、この発光素子９の照明範囲のうち輝点直下部の範囲を含む頂部１１と、この頂部１１から横方向に離れるにつれて厚みが漸減する漸減部１２とを有する。頂部１１の厚みは横長釦５ｂの厚みよりも大きい。換言すると、横長釦５ｂのうち、発光素子９による照明範囲外に対応する部分の厚みよりも発光素子９による輝点直下部に対応する部分の厚みの方が大きい。頂部１１の肉厚は、漸減部１２よりも大きく、略平坦に構成される。漸減部１２は、頂部１１の端部から照明範囲の端部まで厚みが漸減する。これによって、漸減部１２の端部は横長釦５ｂの背面と滑らかにつながる。
【００１７】
漸減部１２の端部の厚みは横長釦５ｂの背面の厚みと等しい。このように、横長釦５ｂに設けた肉厚部１０の頂部１１から漸減部１２よって厚みを漸減していくことによって、横長釦５ｂと発光素子９との間隔を十分に取れない車載用電子機器であっても、横長釦５ａの文字列や図形部分を輝度ムラなく均一に照明することができる。
【００１８】
次に、複数の機能を有する横長釦における構成について説明する。図２は、本発明の車載用電子機器における別な横長釦の断面図である。なお、上述の説明と同様な構成については同じ符号を付して詳細な説明を省略する。
【００１９】
図２に示すように、横長釦５ａは、横方向の両端に第１の突出部１３ａと第２の突出部１３ｂとを有する。回路基板７上には、この第１の突出部１３ａと第２の突出部１３ｂの先端に対応する位置に第１のスイッチ１４ａ、第２のスイッチ１４ｂとが設けられている。
【００２０】
また、第１の突出部１３ａと第２の突出部１３ｂとの間における回路基板７上には、左から順に第１〜第３の発光素子１５ａ〜１５ｃで構成される発光素子１５が設けられている。
【００２１】
横長釦５ａには、背面に、第１〜第３の肉厚部１６ａ〜１６ｃを有する。この第１の肉厚部１６ａと第３の肉厚部１６ｃとによって第２の肉厚部１６ｂが挟まれている。第１〜第３の肉厚部１６ａ〜１６ｃは、図１と同様に、それぞれ、第１〜第３の発光素子１５ａ〜１５ｃの輝点直下部に対応する部分の肉厚が最も厚く、照明中心から離れるにつれて肉厚が漸減する。
【００２２】
図２に示すように、第１の発光素子１５ａ、第３の発光素子１５ｃのそれぞれの輝点直下部に対応する第１の肉厚部１６ａ、第３の肉厚部１６ｃの厚みｄａ、ｄｃは、発光素子１５ｂの輝点直下部に対応する第２の肉厚部１６ｂの厚みｄｂよりも厚みが大きい。これは、第１の発光素子１５ａ、第３の発光素子１５ｃの照明光が、第１、第２のスイッチ１４ａ、１４ｂ等で構成される横長釦５ａの側壁によって反射されることによって、第１の発光素子１５ａ、第３の発光素子１５ｃの照明光が第２の発光素子１５ｂの照明光よりも強度が大きくなるからである。
【００２３】
厚みｄａ、ｄｃを厚みｄｂよりも厚くすることによって、横長釦５ａの文字列や図形部分を複数の発光素子１５ａ〜１５ｃで照明することが必要な場合であっても、横長釦５ａの文字列や図形部分の輝度ムラを抑えて均一な照明を行うことができる。
【００２４】
次に、本発明の車載用電子機器における変形例について説明する。図３は、図１の横長釦の別な構成を説明する断面図である。なお、上述の説明と同様な構成については同じ符号を付して詳細な説明を省略する。
【００２５】
図３に示すように、横長釦５ｂには、突起部１７が設けられている。回路基板７にはスイッチ１８と発光素子１９が設けられている。突起部１７は横長釦５ｂへの押圧によってスイッチ１８を押圧する。発光素子１９は、横長釦５ｂの文字部分の横方向の中心から離れて配置されている。横長釦５ｂの文字部分の中心位置は、横長釦５ｂの横方向の中心位置と略等しい。換言すると、発光素子１９は、横長釦５ｂの横方向の中心位置から離れて配置されている。
【００２６】
横長釦５ｂの背面には、肉厚部２０が設けられている。この肉厚部２０は、図１における肉厚部１０と同様な頂部や漸減部を有するが、肉厚部１０とは横長釦５ｂにおける配置位置が異なる。肉厚部２０は、横長釦５ｂの横方向の中心位置から離れて配置されている。
【００２７】
肉厚部２０を横長釦５ｂの横方向の中心位置から離れて配置することによって、横長釦５ｂの横方向の中心に肉厚部１０を配置する場合に比べて、横長釦５ｂにおける文字部分
全体の輝度は下がるが、突起部１７とスイッチ１８の配置の自由度を向上させることができる。このような肉厚部２０の配置によれば、突起部１７とスイッチ１８を図１における突起部６とスイッチ８よりも横長釦５ｂの横方向の中心側に配置することができる。したがって、横長釦５ｂをユーザが押圧する際に、横長釦５ｂの押圧をユーザに知覚しやすくすることができる。
【００２８】
以上のように、本発明の車載用電子機器によれば、導光板や拡散剤を用いることなく、釦５に表示される文字列や図形部分における輝度ムラを抑えることができる。さらに、発光素子１９と肉厚部２０を横長釦５ｂの横方向の中心から離れて配置することによって、発光素子１９の照明範囲を横長釦５ｂの横方向の中心から一方にずらすことができる。したがって、突起部１７とスイッチ１８の配置の自由度を向上させ、ひいてはユーザによる横長釦５ｂへの押圧を知覚しやすくすることができる。
【産業上の利用可能性】
【００２９】
本発明は、発光素子とこの発光素子によって照明される釦の間隔を十分に取れない車載用電子機器に有用である。
【符号の説明】
【００３０】
１    ディスプレイ
２    前面パネル
５    釦
７    回路基板
９    発光素子
１０  肉厚部
【図１】
2012086603.tif 000003
【図２】
2012086603.tif 000004
【図３】
2012086603.tif 000005
【図４】
2012086603.tif 000006
【図５】
2012086603.tif 000007